(57)【要約】【課題】特に砂の多い砂浜沿いや砂丘近隣の居住地近くにおいて、砂の飛散を有効に防止するとともに、防砂シートの取り外し作業を簡便とする。【解決手段】防砂シート１の支柱２への取付縁には所定間隔で複数の耳部３を形成し、その耳部３が支柱２に巻かれてその端部が離脱可能手段により防砂シート１の一部と連結されることにより防砂シート１が支柱２に取付けられる構成となっており、かつ、支柱２に取付けられる隣接する防砂シート同士に設ける耳部３を支柱２の軸方向に交互に配置した。【選択図】        図２
2005256404.tif 000002
【特許請求の範囲】
【請求項１】
所定間隔で設置される支柱に取付けられて該支柱間に張設される該支柱間の大きさ形状の防砂シートであって、
該防砂シートの前記支柱への取付縁には所定間隔で複数の耳部が形成されており、該耳部が支柱に巻かれてその端部が離脱可能手段により防砂シートの一部と連結されることにより防砂シートが支柱に取付けられる構成となっており、かつ、支柱に取付けられる隣接する防砂シート同士に設ける耳部が支柱の軸方向に交互に配置されていることを特徴とする防砂シート。
【請求項２】
請求項１に記載の防砂シートであって、
前記耳部の端部と該防砂シートの一部とを連結する離脱可能手段が、該耳部の端部の上端から下端にわたって設けられた耳部側結合部材と、前記耳部が支柱に巻かれた際にその端部が位置する防砂シートの対応位置に形成して配置された防砂シート側結合部材とを脱着可能に連結する連結部材から構成されていることを特徴とする防砂シート。
【請求項３】
請求項２に記載の防砂シートであって、
前記結合部材がはしご状に形成されていることを特徴とする防砂シート。
【請求項４】
請求項１から請求項３にいずれかに記載された防砂シートであって、
前記防砂シートの下方には設置される地面との間の隙間をふさぐ大きさ形状の垂部が設けられており、該垂部の両側縁にはその上端から下端にわたって結合部材が設けられており、該結合部材が隣接する他の防砂シートの結合部材とを連結させる連結部材によって構成されていることを特徴とする防砂シート。
【請求項５】
請求項２から請求項５にいずれかの記載された防砂シートであって、
前記連結部材が面ファスナーで構成されていることを特徴とする防砂シート。
【発明の詳細な説明】
【技術分野】
【０００１】
本発明は、砂の飛散を防止するための防砂シートに関する。
【背景技術】
【０００２】
これに関連する従来の防砂シートが特許文献１に記載されている。
この防砂シートの設置状態を示す正面図が図８（ａ）に、その背面図が図８（ｂ）に示されている。この防砂シートは、図８（ｂ）に示すように、防砂シート１の両側縁に金具製リング９１を備えている。支柱２に防砂シート１を取付ける際には、隣接する防砂シート１を互いに支柱の中央部付近に寄せ、隣接する防砂シート１の金具製リング９１を同じ索材９２を挿通させて支柱２に括って結びつけられている。そして、防砂シート１がずれないように支柱２へ強固に結び付けられる。さらに、通常支柱２は基礎台９３などで固定されており、その構造から防砂シート１と地面９４との間にはすき間が生じていることが多い。
【０００３】
一方、例えば、砂浜付近に防砂シートが設置された場合において、その近隣の住人が、夏場に漁業に出る際船や漁具を移動させるために一時的に防砂ネットを取り外す必要があるという実情も存在する。
【０００４】
【特許文献１】特開２００２−１１５２１２号公報
【発明の開示】
【発明が解決しようとする課題】
【０００５】
しかしながら、従来のような防砂シートでは以下のような問題が生じていた。すなわち、図８に示す索材９２が劣化したり強風にあおられたりすることで、索材９２が弛んでくると、その付近の支柱２と防砂シート１との間にはすき間が生じやすくなる。また、同じ索材９２を挿通させて支柱２に括って結びつけられているため、索材９２が弛むと隣接する防砂シート間で比較的大きなすき間ができやすく、砂の飛散が有効に防止され得なかった。さらに、防砂シート１と地面９４との間にすき間が生じていると、そのすき間からも砂が舞い込んでしまうという問題もあった。
【０００６】
一方、索材９２が支柱３へ強固に結び付けられていると、防砂シートを取り外す際にその索材をほどく作業が面倒であるという問題があった。また、索材９２が劣化により痛んだりすると再度使用することができないため、経済的な問題が指摘されていた。
【０００７】
本発明は上記のような問題に鑑みてなされたものであり、本発明が解決しようとする課題は、砂の飛散を有効に防止するとともに、防砂シートの取り外し作業を簡便とすることである。
【課題を解決するための手段】
【０００８】
本発明は前記課題を解決するために、次の手段をとる。
まず、第１の発明は、所定間隔で設置される支柱に取付けられて該支柱間に張設される該支柱間の大きさ形状の防砂シートであって、該防砂シートの前記支柱への取付縁には所定間隔で複数の耳部が形成されており、該耳部が支柱に巻かれてその端部が離脱可能手段により防砂シートの一部と連結されることにより防砂シートが支柱に取付けられる構成となっており、かつ、支柱に取付けられる隣接する防砂シート同士に設ける耳部が支柱の軸方向に交互に配置されていることを特徴とする。
【０００９】
第１の発明によると、防砂シートの支柱への取付縁に所定間隔で複数の耳部が形成され、その耳部が支柱に巻かれることにより防砂シートと支柱との間のすき間が生じにくくなり、砂の飛散を防止することができる。また、支柱に巻かれた耳部の端部が離脱可能手段により防砂シートの一部と連結されることにより防砂シートが支柱に取付けられているため、必要に応じて張設された防砂シートを簡便に取り外すこともできる。さらに、支柱に取付けられる隣接する防砂シート同士に設ける耳部が支柱の軸方向に交互に配置されると、隣接する防砂シート同士間にすき間が生じにくくなり、砂の飛散を有効に防止することができる。
【００１０】
ここで、本発明で形成される耳部は、防砂シートの形成時において予め一体的に設けて形成しもよいし、後に耳部だけを別途取付けて形成してもよい。耳部の長さは、耳部が支柱に巻かれた際にその端部が防砂シートの一部と連結される程度の長さであればよい。また、取付け状態を良好にするためには、取付縁に形成される複数の耳部の軸方向の長さは同じ長さであることが好ましい。
【００１１】
次に第２の発明は、上記した第１の発明に係る防災シートにおいて、前記耳部の端部と該防砂シートの一部とを連結する離脱可能手段が、該耳部の端部の上端から下端にわたって設けられた耳部側結合部材と、前記耳部が支柱に巻かれた際にその端部が位置する防砂シートの対応位置に形成して配置された防砂シート側結合部材とを連結する脱着可能に連結部材から構成されていることを特徴とする。
【００１２】
第２の発明によると、耳部側結合部材と防砂シート側結合部材とを形成することにより防砂シートを支柱に取付ける作業が簡便となる。また、その両者を連結する脱着可能な連結部材を離脱可能手段として用いると防砂シートを支柱から取り外す作業がより簡便となる。
【００１３】
次に第３の発明は、上記した第２の発明に係る防砂シートにおいて、前記結合部材がはしご状に形成されていることを特徴とする。
【００１４】
第３の発明によると、耳部側結合部材と防砂シート側結合部材がはしご状に形成されると、連結部材の脱着が容易となるため防砂シートの取付けおよび取り外し作業が簡便となる。また、結合部材の任意の位置で連結部材を連結することができる。
【００１５】
ここで、本発明において、「はしご状に形成」するには、例えば、図６（ａ）に示すように、結合部材５の上端から下端にわたって所定大きさ間隔で略半円状（ラダー加工）に空隙５２が生じるようにひも状部材５１を結合部材５へ縫製することにより形成することができる。また、図６（ｂ）に示すような、長方形状（Ｎラダー加工）に縫製して形成することもできる。なお、耳部側結合部材と防砂シート側結合部材との結合による引張り強度に耐えうるためには、結合部材は図６（ａ）に示すラダー加工により形成されることが好ましい。
【００１６】
次に第４発明は、上記した第１の発明から第３の発明のいずれかに係る防砂シートにおいて、前記防砂シートの下方には設置される地面との間の隙間をふさぐ大きさ形状の垂部が設けられており、該垂部の両側縁にはその上端から下端にわたって結合部材が設けられており、該結合部材が隣接する他の防砂シートの結合部材とを連結させる連結部材によって構成されていることを特徴とする。
【００１７】
第４の発明によると、隣接する防砂シートの結合部材同士が連結部材によって連結されているため、強風などによって垂部の下端部が捲くれることがない。従って、防砂シートと地面との間にすき間が生じにくくするとともに、砂の飛散を防止することができる。
【００１８】
次に第５の発明は、上記した第２の発明から第４の発明に係る防砂シートにおいて、前記連結部材が面ファスナーで構成されていることを特徴とする。
【００１９】
第５の発明によると、連結部材として面ファスナーが用いられることにより、結合部材同士の連結が容易となるため、防砂シートの取付けおよび取り外し作業が簡便となる。このようなものとして、例えば、図７（ａ）に示す面ファスナー８が挙げられる。面ファスナー８は、その上端にはループ面８１が、下端にはフック面８２が配置されている。ループ面８１およびフック面８２はファスナー基材８３に取り付けられており、両基材間には中間部材８４が配置されている。この面ファスナー８を丸めるとループ面８１およびフック面８２が接合された図８（ｂ）のような状態となり、全体として輪状の連結部材となる。このような輪状の連結部材として耳部側結合部材と防砂シート側結合部材を連結させると、防砂シートの取付けおよび取り外し作業が簡便となる。この場合において、中間部材の素材として頑丈なテント材等の生地を用いると、劣化したり汚れたりした場合であっても、何回でも洗浄して再利用することができ経済的にもメリットがある。
【発明の効果】
【００２０】
本発明は上述した手段をとることにより、次の効果を得ることができる。
まず、第１の発明においては、砂の飛散を有効に防止するとともに、防砂シートの取り外し作業を簡便にすることができる。
次に第２の発明によれば、防砂シートを支柱から取り外す作業がより簡便となる。
次に第３の発明によれば、防砂シートの取付けおよび取り外し作業が簡便となる。
次に第４の発明によれば、防砂シートと地面との間にすき間が生じにくくするとともに、砂の飛散を防止することができる。
次に第５の発明によれば、防砂シートの取付けおよび取り外し作業が簡便となる。
【発明を実施するための最良の形態】
【００２１】
本発明に係る防砂シートは、砂地に隣接して張られて砂の飛散を有効に防止する防砂シートである。従って、砂の多い砂浜沿いや砂丘近隣の居住地近くに張られると好適である。このような砂の多い場所に隣接して防砂シートを張設すると、砂の飛散を有効に防止することができる。
【００２２】
前記防砂シートは、砂浜や砂丘の砂粒を通過を阻む程度の方形サイズの網目状のものであることが好ましい。このサイズが細かすぎると大きな風圧を受けて、防砂シートの張設状態が不安定となるからである。具体的には、３．０×１．２〜１．４ｍｍ程度のサイズであることが好ましい。また、防砂シートを砂浜近隣に張設した場合には、防砂シートに鯨や魚の絵を描くと景観を損うことなく張設できる。
【実施例】
【００２３】
本発明の実施例について、図１〜図５を参照しながら説明する。
図１は、本実施例に係る防砂シートを示す正面図である。また、図２および図３は、本実施例に係る防砂シート１が隣接して支柱２に取付けられた状態を示す斜視図である。なお、図３は、図２における支柱１を対称として反対側の位置から見た斜視図である。
【００２４】
図１に示すように、本実施例に係る防砂シート１は、支柱２（図２および図３参照）への取付縁３１に所定間隔で形成された複数の耳部３と、地面９４（図２、図３参照）との間のすき間をふさぐ大きさ形状の垂部１２と、支柱２に架する梁を挿通させる袋状筒部４と、によって構成されている。複数の耳部３を構成して張設されると、防砂シート１の張設状態が安定する。また、図２および図３に示すように、防砂シート１には、耳部３が支柱２に巻かれた際にその端部が位置する防砂シート１の対応位置に配置された防砂シート側結合部材６が形成されている。
【００２５】
耳部３は、その端部の上端から下端にわたって耳部側結合部材５が設けられている。この耳部側結合部材５は、ひも状部材５１のラダー加工により縫製され、はしご状に形成されている。また、図２および図３に示すように、耳部３は、支柱２に取付けられる隣接する防砂シート同士において、その支柱２の軸方向に交互に配置されている。これにより、防砂シート１を張設した際にその張設状態が強固なものとなるため、隣接する防砂シート同士間にすき間が生じにくくなり、砂の飛散を有効に防止することができる。
【００２６】
垂部１２は、その両端縁の上端から下端にわたって垂部側方結合部材１３が設けられている。この垂部側方結合部材１３は、ひも状部材５１のラダー加工により縫製され、はしご状に形成されている。これにより、隣接する他の防砂シートの垂部側方結合部材同士が連結部材によって連結できるような構成となる。また、垂部１２の下方には、垂部下方接地部材１４がひも状部材５１のダー加工により縫製され、はしご状に形成されている。これにより、垂部１２が地面と接する場合に、垂部１２への痛みが防止され得る。
【００２７】
次に、図２および図３に基づき、本実施例に係る防砂シート１の支柱２への取付け方法について説明する。
隣接する防砂シート１の耳部３が支柱２に巻かれて、耳部側結合部材５と防砂シート側結合部材６が連結することにより、防砂シート１が支柱２へ取付けられる。この耳部側結合部材５と防砂シート側結合部材６との連結は連結部材である面ファスナー８によってされている。これにより、各結合部材の連結が容易となるため防砂シート１の取付け作業が簡便となる。なお、本実施例では、面ファスナー８を２つ用いて連結しているが、連結される面ファスナー８を増やすと防砂シート１の張設状態がより安定となる。
【００２８】
図４は、上記のように支柱２に取付けられた防砂シート１の張設状態を示す正面図である。本実施例に係る防砂シート１は、隣接する防砂シート同士に設ける耳部３が支柱の軸方向に交互に、かつ等間隔に配置されて支柱２に取付けられる。そうすると、図８（ｂ）に示す従来の防砂シート１のように、連結する防砂シート間ですき間が生じることがほとんどない。また、交互に配置された耳部３が同じ支柱２に巻かれているため、支柱２と防砂シート１間でもすき間が生じることがほとんどない。これにより、砂の飛散を有効に防止することができる。
【００２９】
また、隣接する防砂シート同士の垂部側方結合部材１３は連結部材である面ファスナー８によって連結されている。これにより、強風などによって垂部１２の下端部が捲くれることが少なくなり、防砂シートと地面との間にすき間が生じにくくなるため、砂の飛散を防止することができる。
【００３０】
防砂シート１を支柱２から取り外すには、支柱２に巻かれた耳部３の端部が面ファスナー８を取り外すことにより離脱させればよい。すなわち、図８に示した従来の防砂シート１のように、強固に結びつけられた索材９２をほどくという面倒な作業がないため、張設した防砂シート１の取り外し作業が簡便となる。
【００３１】
図５は、本実施例に係る防砂シート１を砂浜沿いの居住地近くで適用した場合の例を示す説明図である。図５で見て左上方向が海側であり、右下方向が居住地側である。
図５に示すように、本実施例に係る防砂シート１を等間隔に設置された支柱に多数横並びに張設すると、海側から居住地側への砂の飛散を防止することができる。また、一時的に防砂シート１を取り外す地区においては、近隣の住人が防砂シート１を取り外す際にもその作業が簡便となるため好適である。さらに、図７（ａ）に示す面ファスナー８を連結部材として使用した場合には、汚れた場合でも洗浄して再利用でき、多くの防砂シートを張設する場合には経済的にもメリットがある。また、同じ間隔で支柱を増設する場合には、その支柱間隔の大きさ形状の防砂シートを同じように張設すれば増設作業も簡便となる。
【００３２】
本発明は上記実施例の構成に限定されることはなく、その他種々の形態で実施ができるものである。
例えば、上記実施例では、離脱可能手段として耳部側結合部材５と防砂シート側結合部材６が面ファスナー８により連結されて構成する例を示したが、耳部３が防砂シート１とがボルトとナット等で締付け・結合されて構成する場合であってもよい。
また、連結部材として面ファスナー８が用いられる例を示したが、図７（ｃ）に示すロッククリップ８０を用いて、防砂シート側結合部材５と耳部側結合部材６を引っ掛けて連結する場合であってもよい。
また、支柱２が等間隔で設置された例を示したが、支柱が等間隔で設置されていない場合は、隣接する防砂シートを各支柱間の大きさ形状に合わせて本発明を適用できる。
【図面の簡単な説明】
【００３３】
【図１】本実施例に係る防砂シートを示す正面図である。
【図２】本実施例に係る防砂シートが隣接して支柱に取付けられた状態を示す斜視図である。
【図３】本実施例に係る防砂シートが隣接して支柱に取付けられた状態を示す斜視図である。
【図４】支柱に取付けられた防砂シートの張設状態を示す正面図である。
【図５】本実施例を砂浜沿いの居住地近くにおいて適用した場合の例を示す説明図である。
【図６】はしご状に形成した結合部材の例を示す説明図である。
【図７】本発明における連結部材の例を示す説明図である。
【図８】従来の防砂シートの接地状態を説明する説明図である。
【符号の説明】
【００３４】
１    防砂シート
２    支柱
３    耳部
５    耳部側結合部材
６    防砂シート側結合部材
８    面ファスナー
１２  垂部
１３  垂部側方結合部材
１４  垂部下方結合部材
３１  取付縁
【図１】
2005256404.tif 000003
【図２】
2005256404.tif 000004
【図３】
2005256404.tif 000005
【図４】
2005256404.tif 000006
【図５】
2005256404.tif 000007
【図６】
2005256404.tif 000008
【図７】
2005256404.tif 000009
【図８】
2005256404.tif 000010
【手続補正書】
【提出日】平成16年3月12日(2004.3.12)
【手続補正１】
【補正対象書類名】明細書
【補正対象項目名】００３４
【補正方法】変更
【補正の内容】
【００３４】
１    防砂シート
２    支柱
３    耳部
５    耳部側結合部材
６    防砂シート側結合部材
８    面ファスナー
１２  垂部
１３  垂部側方結合部材
１４  垂部下方接地部材
３１  取付縁